(57)【要約】【課題】中継網を介して接続された複数のＳＤＨ(Synchronous Digital Hierarchy)網の間で自動的にクロック同期をとるための、ＳＤＨ網と中継網の混在時におけるＳＤＨ網サービスのクロック同期方式を提供する。【解決手段】各ＳＤＨ網において、ＳＤＨ網のクロック同期情報を所定のフォーマットに従ってパケット化する際に、前記所定のフォーマットの空きバイトにクロック同期グループであるＳＤＨ網の識別番号を入れ、前記ＳＤＨ網から、中継網に前記所定のフォーマットに従ったパケットを送信し、中継網のパケット装置で、前記識別情報に基づいて、前記クロック同期情報がどのＳＤＨ網のクロック同期グループのものであるかを識別し、そのクロック同期グループに属したインターフェース同士でクロック同期状態を生じさせる。【選択図】図５
2010213176.tif 000002
【特許請求の範囲】
【請求項１】
各ＳＤＨ(Synchronous Digital Hierarchy)網において、ＳＤＨ網のクロック同期情報を所定のフォーマットに従ってパケット化する際に、前記所定のフォーマットの空きバイトにクロック同期グループであるＳＤＨ網の識別番号を入れ、前記ＳＤＨ網から、中継網に前記所定のフォーマットに従ったパケットを送信し、中継網のパケット装置で、前記識別情報に基づいて、前記クロック同期情報がどのＳＤＨ網のクロック同期グループのものであるかを識別し、そのクロック同期グループに属したインターフェース同士でクロック同期状態を生じさせることで、ＳＤＨ網同士のＥｎｄ−ｔｏ−Ｅｎｄでクロック同期を確保する特徴とするＳＤＨ網と中継網の混在時におけるＳＤＨ網サービスのクロック同期方式。
【請求項２】
請求項１に記載のＳＤＨ網と中継網の混在時におけるＳＤＨ網サービスのクロック同期方式において、
中継網下流の装置でクロック同期情報を取得し、クロック同期源の選択を実現することを特徴とするＳＤＨ網と中継網の混在時におけるＳＤＨ網サービスのクロック同期方式。
【請求項３】
請求項１又は２に記載のＳＤＨ網と中継網の混在時におけるＳＤＨ網サービスのクロック同期方式において、
クロック同期情報は、ＳＴＭ−Ｎ(Synchronous Transport Module-N)信号に定義されているＳＯＨ(Synchronous Digital Hierarchy)中のＳ１バイトの情報であることを特徴とするＳＤＨ網と中継網の混在時におけるＳＤＨ網サービスのクロック同期方式。
【請求項４】
請求項１乃至３の何れか１項に記載のＳＤＨ網と中継網の混在時におけるＳＤＨ網サービスのクロック同期方式において、
前記所定のフォーマットは、ＩＴＵ−Ｔ  Ｇ．８２６４で定義された方式で、ＥＳＭＣ  ＰＤＵフォーマットであることを特徴とするＳＤＨ網と中継網の混在時におけるＳＤＨ網サービスのクロック同期方式。
【請求項５】
請求項１乃至４の何れか１項に記載のＳＤＨ網と中継網の混在時におけるＳＤＨ網サービスのクロック同期方式において、
前記中継網は、Ｅｔｈｅｒｎｅｔ（登録商標）網であることを特徴とするＳＤＨ網と中継網の混在時におけるＳＤＨ網サービスのクロック同期方式。
【請求項６】
各ＳＤＨ(Synchronous Digital Hierarchy)網において、ＳＤＨ網のクロック同期情報を所定のフォーマットに従ってパケット化する際に、前記所定のフォーマットの空きバイトにクロック同期グループであるＳＤＨ網の識別番号を入れ、前記ＳＤＨ網から、中継網に前記所定のフォーマットに従ったパケットを送信し、中継網のパケット装置で、前記識別情報に基づいて、前記クロック同期情報がどのＳＤＨ網のクロック同期グループのものであるかを識別し、そのクロック同期グループに属したインターフェース同士でクロック同期状態を生じさせることで、ＳＤＨ網同士のＥｎｄ−ｔｏ−Ｅｎｄでクロック同期を確保する特徴とするＳＤＨ網と中継網の混在時におけるＳＤＨ網サービスのクロック同期方法。
【請求項７】
請求項６に記載のＳＤＨ網と中継網の混在時におけるＳＤＨ網サービスのクロック同期方法において、
中継網下流の装置でクロック同期情報を取得し、クロック同期源の選択を実現することを特徴とするＳＤＨ網と中継網の混在時におけるＳＤＨ網サービスのクロック同期方法。
【請求項８】
請求項６又は７に記載のＳＤＨ網と中継網の混在時におけるＳＤＨ網サービスのクロック同期方法において、
クロック同期情報は、ＳＴＭ−Ｎ(Synchronous Transport Module-N)信号に定義されているＳＯＨ(Synchronous Digital Hierarchy)中のＳ１バイトの情報であることを特徴とするＳＤＨ網と中継網の混在時におけるＳＤＨ網サービスのクロック同期方法。
【請求項９】
請求項６乃至８の何れか１項に記載のＳＤＨ網と中継網の混在時におけるＳＤＨ網サービスのクロック同期方法において、
前記所定のフォーマットは、ＩＴＵ−Ｔ  Ｇ．８２６４で定義された方式で、ＥＳＭＣ  ＰＤＵフォーマットであることを特徴とするＳＤＨ網と中継網の混在時におけるＳＤＨ網サービスのクロック同期方法。
【請求項１０】
請求項６乃至９の何れか１項に記載のＳＤＨ網と中継網の混在時におけるＳＤＨ網サービスのクロック同期方法において、
前記中継網は、Ｅｔｈｅｒｎｅｔ網であることを特徴とするＳＤＨ網と中継網の混在時におけるＳＤＨ網サービスのクロック同期方法。
【発明の詳細な説明】
【技術分野】
【０００１】
本発明は、中継網を介して接続された複数のＳＤＨ(Synchronous Digital Hierarchy)網の間のクロック同期をとるための、ＳＤＨ網と中継網の混在時におけるＳＤＨ網サービスのクロック同期方式及びその方法に関する。
【背景技術】
【０００２】
従来、既存のＳＤＨ網が独立してネットワークを構成して、そのＳＤＨ網内に閉じたクロック同期網を確立していたが、ネットワークの規模が拡大し、且つネットワークの効率化に応じて中継網（例えば、Ｅｔｈｅｒｎｅｔ（登録商標）網）が導入されてきた場合、ＳＤＨ網が中継網に分断され、クロック同期状態をＥｎｄ−ｔｏ−Ｅｎｄで確保するために、接続するＳＤＨ網のクロック同期設定を変更するといったオペレーションネックが存在していた。
【０００３】
図１は、通常のＳＤＨ網を示しており、それぞれＳＤＨ網１−１とＳＤＨ網１−２がクロック同期し、ＳＤＨ網２−１とＳＤＨ網２−２がクロック同期しているネットワークを表している。この状態では、それぞれのＳＤＨ網１（ＳＤＨ網１−１とＳＤＨ網１−２）、ＳＤＨ網２（ＳＤＨ網２−１とＳＤＨ網２−２）が独立して存在しているので、クロック同期が確保されている状態である。
【０００４】
従来のＳＤＨ網におけるクロック同期方法として、ＳＤＨのＳＴＭ−Ｎ(Synchronous Transport Module-N)信号に定義されているＳＯＨ(Synchronous Digital Hierarchy)中のＳ１バイトの情報（以下「Ｓ１バイト」という）が使用され、個々のネットワークがＳＤＨでカバーされていればＳＤＨ網としてのクロック同期が取れている
【先行技術文献】
【特許文献】
【０００５】
【特許文献１】特開２００７−０７４１７８号公報
【特許文献２】特開２００７−２３５２１７号公報
【特許文献３】特開２００８−２７１２０６号公報
【特許文献４】特開平１０−０７５４８０号公報
【発明の概要】
【発明が解決しようとする課題】
【０００６】
図２は、図１に対して間に中継網１が割りいれられた場合を示している。
【０００７】
図２のようにＳＤＨ網１、ＳＤＨ網２を中継網で接続する場合、全てのネットワークがクロック同期する必要があり、既存のネットワーク装置のクロック同期設定を変更する必要があり、大きなネットワークともなると多大な手間がかかるという問題がある。
【０００８】
つまり、図２のように各ＳＤＨ網の間に中継網が混在するネットワークになった場合、クロック同期状態をＥｎｄ−ｔｏ−Ｅｎｄで確保するためには、中継網とそれに接続している各ＳＤＨ網のクロック同期を合わせる必要があり、それには今までクロック同期状態が確保されていた各ＳＤＨ網のクロック同期を設定を変更する必要があり、大きなネットワークともなると、ネットワークオペレータによる煩雑な作業や設定ミスによるクロック同期不安定な状況になり兼ねないリスクがあることから、大きな問題となる場合が想定される。
【０００９】
そこで本発明は、中継網を介して接続された複数のＳＤＨ網の間で自動的にクロック同期をとるための、ＳＤＨ網と中継網の混在時におけるＳＤＨ網サービスのクロック同期方式及びその方法を提供することを目的とする。
【課題を解決するための手段】
【００１０】
本発明によれば、各ＳＤＨ網において、ＳＤＨ網のクロック同期情報を所定のフォーマットに従ってパケット化する際に、前記所定のフォーマットの空きバイトにクロック同期グループであるＳＤＨ網の識別番号を入れ、前記ＳＤＨ網から、中継網に前記所定のフォーマットに従ったパケットを送信し、中継網のパケット装置で、前記識別情報に基づいて、前記クロック同期情報がどのＳＤＨ網のクロック同期グループのものであるかを識別し、そのクロック同期グループに属したインターフェース同士でクロック同期状態を生じさせることで、ＳＤＨ網同士のＥｎｄ−ｔｏ−Ｅｎｄでクロック同期を確保するＳＤＨ網と中継網の混在時におけるＳＤＨ網サービスのクロック同期方式が提供される。
【００１１】
また、本発明によれば、各ＳＤＨ網において、ＳＤＨ網のクロック同期情報を所定のフォーマットに従ってパケット化する際に、前記所定のフォーマットの空きバイトにクロック同期グループであるＳＤＨ網の識別番号を入れ、前記ＳＤＨ網から、中継網に前記所定のフォーマットに従ったパケットを送信し、中継網のパケット装置で、前記識別情報に基づいて、前記クロック同期情報がどのＳＤＨ網のクロック同期グループのものであるかを識別し、そのクロック同期グループに属したインターフェース同士でクロック同期状態を生じさせることで、ＳＤＨ網同士のＥｎｄ−ｔｏ−Ｅｎｄでクロック同期を確保する特徴とするＳＤＨ網と中継網の混在時におけるＳＤＨ網サービスのクロック同期方法が提供される。
【発明の効果】
【００１２】
本発明によれば、中継網を介して接続された複数のＳＤＨ網の間で自動的にクロック同期をとることが可能となる。
【図面の簡単な説明】
【００１３】
【図１】通常のＳＤＨ網を示す概念図である。
【図２】通常の、間に中継網が介されたＳＤＨ網を示す概念図である。
【図３】本発明の実施形態による、間に中継網が介されたＳＤＨ網を示す概念図である。
【図４】本発明の実施形態によるＥＳＭＣ  ＰＤＵフォーマットを示す図である。
【図５】本発明の実施形態による、間に中継網が介されたＳＤＨ網において、ＳＤＨ網１−１とＳＤＨ網１−２とのクロック同期が取られている様子を示す概念図である。
【発明を実施するための形態】
【００１４】
以下、図面を参照して本発明を実施するための形態について詳細に説明する。
【００１５】
ＳＯＨ中のＳ１バイトの情報（ＳＳＭ）をＩＴＵ−Ｔ  Ｇ．８２６４で定義された方式で、ＥＳＭＣ  ＰＤＵフォーマットに従ってパケット化して、Ｅｔｈｅｒｎｅｔ網に送信することで、Ｅｔｈｅｒｎｅｔ網下流の装置でクロック同期情報を取得し、クロック同期源の選択を実現できるが、このＥＳＭＣ  ＰＤＵフォーマットの空きバイトに各クロック同期グループであるＳＤＨ網の識別番号を入れることで、どのＳＤＨ網のクロック同期信号であるかを識別し、そのグループに属したインターフェース同士でクロック同期状態を従属していくことで、Ｅｎｄ−ｔｏ−Ｅｎｄでクロック同期を確保することが可能となる。
【００１６】
図３は、図２の方式をとらずに実現できる方法を示したものであり、それぞれ独立したＳＤＨ網のクロック同期設定を変更せず、Ｅｔｈｅｒｎｅｔ網を通してクロック同期を確保できるイメージを示したものである。
【００１７】
図４は、クロック同期情報を通知するＥＳＭＣ  ＰＤＦフォーマットを示したものであり、２２−２４バイトにてクロック同期グループを示す情報を通知することを示したものである。
【００１８】
図５は、図４で示したＥＳＭＣ  ＰＤＦフォーマットを使用したネットワークの動作例を示したものである。
【００１９】
図３に示す通り、既存の各ＳＤＨ網のクロック同期設定を変更することなく、Ｅｔｈｅｒｎｅｔ網が間に入ったとしてもクロック同期をＥｎｄ−ｔｏ−Ｅｎｄで確保できる本実施形態による方式を以下に示す。
【００２０】
ＩＴＵ−Ｔ  Ｇ．８２６４で定義されたパケットネットワークへのクロック同期情報の通知を行うＥＳＭＣ  ＰＤＵフォーマットを図４に示す。このフォーマットの２２−２４バイトのＲｅｓｅｒｖｅバイトに、本ＰＤＵを発信するクロック同期網の同期グループ番号を入れて送信することで、受信側が同一クロック同期グループに属していれば、そのポート（インターフェース）同士が、従属クロック同期することで、Ｅｎｄ−ｔｏ−ＥｎｄでＥｔｈｅｒｎｅｔ網を通してクロック同期状態を確保することが可能となる。
【００２１】
実際の動作例を図５に示す。ＳＤＨ網１−１からクロック同期グループ１を示したＥＳＭＣ  ＰＤＵがパケット装置１のポート１−１で受信される。この時、ポート１−１がクロック同期グループ１に属していることをパケット装置１は識別することができる。同じようにＳＤＨ網１−２と接続したポート１−２においても同じクロック同期グループ１のＥＳＭＣ  ＰＤＵを受信し、ポート１−２がクロック同期グループ１に属していることをパケット装置１は識別することができる。その結果、ポート１−１とポート１−２が同一クロック同期グループであることをパケット装置１は識別できるので、両ポートを自動にクロック同期設定を行い、ＳＤＨ網１−１とＳＤＨ網１−２がクロック同期することを実現できる。
【００２２】
本実施形態の第１の効果は、既存のＳＤＨ網のクロック同期設定を変更することなく、Ｅｔｈｅｒｎｅｔ網が混在してもＥｎｄ−ｔｏ−Ｅｎｄでクロック同期を確保できることである。
【００２３】
第２の効果は、Ｅｔｈｅｒｎｅｔ網に存在するパケット装置にてクロック同期するポートを設定することなく、自動でクロック同期すべきポートを識別して設定できることである。
【００２４】
Ｅｔｈｅｒｎｅｔ網のパケット装置のあるポートにおいて、複数のＳＤＨ網からのクロック同期グループ情報を入手した場合、ＥＳＭＣ  ＰＤＵフォーマットの２２−２４バイトの構成を拡張することで、複数のクロック同期グループに属したポートであることを示すことが可能となり、ネットワークの拡張にも対応可能である。
【産業上の利用可能性】
【００２５】
本発明は従来のＳＤＨ網にＥｔｈｅｒｎｅｔ網が混在するネットワークにおいて、Ｅｎｄ−ｔｏ−Ｅｎｄでクロック同期を確保する場合に適用できる。
【符号の説明】
【００２６】
１  パケット装置
【図１】
2010213176.tif 000003
【図２】
2010213176.tif 000004
【図３】
2010213176.tif 000005
【図４】
2010213176.tif 000006
【図５】
2010213176.tif 000007